(57)【要約】【課題】杵軸すべり軸受から発生される騒音を可及的に低減することができるようにした餅つき装置及び杵軸すべり軸受を提供する。【解決手段】筐体１の底板１ａに取り付けられ、先端に杵頭３０を有する杵軸４０を摺動自在に保持する杵軸すべり軸受６０を有する高速連続餅つき装置１００であって、杵軸すべり軸受６０は、軸方向に分割された第１の部材６１ａ及び第２の部材６１ｂと、第１の部材６１ａ及び第２の部材６１ｂの周縁に形成された孔６３に挿入され、第１の部材６１ａ及び第２の部材６１ｂを螺子６２により調整可能に固定する。【選択図】図４
2017225714.tif 000002
【特許請求の範囲】
【請求項１】
筐体に取り付けられ、先端に杵頭を有する杵軸を摺動自在に保持する杵軸すべり軸受を有する餅つき装置であって、
前記杵軸すべり軸受は、
軸方向に分割された第１の部材及び第２の部材と、
前記第１の部材と前記第２の部材とを調整可能に固定する調整固定機構と、
を具備することを特徴とする餅つき装置。
【請求項２】
前記調整固定機構は、
前記第１の部材及び前記第２の部材の周縁に形成された孔に挿入され、前記第１の部材及び前記第２の部材を螺子止め固定するする螺子を有する
ことを特徴とする請求項１に記載の餅つき装置。
【請求項３】
前記杵軸すべり軸受は、
円筒形の円筒部と、
前記円筒部を前記筐体に取り付けるためのフランジ部と、
を有し、
前記円筒部を外側から取り囲む２つに分割された金属補強部材であって、両端に該分割された金属補強部材同士を螺子止めするとともに、該金属補強部材の位置決めを行う突起部を有する金属補強部材、
を更に具備することを特徴とする請求項１又は２に記載の餅つき装置。
【請求項４】
前記餅つき装置は、
所定速度で回転する円盤状の台座と、
前記台座の周縁に沿って設置された複数の臼装置と、
前記杵軸を介して前記杵頭を持ち上げるとともに、自由落下で前記杵頭を前記臼装置の臼内に落下させる杵頭落下制御機構と、
を有し、
前記臼装置は、
前記臼の底面を回転させる回転駆動装置、
を有し、
前記筐体は、
前記台座の上に設置されて、前記台座の回転に同期して回転し、
前記杵軸すべり軸受は、
前記筐体の底面の前記臼装置の設置位置に対応する箇所に取り付けられる
ことを特徴とする請求項１乃至３のいずれか１項に記載の餅つき装置。
【請求項５】
前記杵頭落下制御機構は、
前記杵軸の上部に固定された羽受部と、
駆動手段により回転駆動され、前記羽受部を下方から叩くことにより、前記杵軸を上方に移動させるとともに、前記杵軸に回転を加える羽根部材と
を有することを特徴とする請求項４に記載の餅つき装置。
【請求項６】
餅つき装置の筐体に取り付けられ、先端に杵頭を有する杵軸を摺動自在に保持する杵軸すべり軸受であって、
軸方向に分割された第１の部材及び第２の部材と、
前記第１の部材と前記第２の部材とを調整可能に固定する調整固定機構と、
を具備することを特徴とする杵軸すべり軸受。
【請求項７】
前記調整固定機構は、
前記第１の部材及び前記第２の部材の周縁に形成された孔に挿入され、前記第１の部材及び前記第２の部材を螺子止め固定する螺子を有する
ことを特徴とする請求項６に記載の杵軸すべり軸受。
【請求項８】
前記杵軸すべり軸受は、
円筒形の円筒部と、
前記円筒部を前記筐体に取り付けるためのフランジ部と、
を有し、
前記円筒部を外側から取り囲む２つに分割された金属補強部材であって、両端に該分割された金属補強部材同士を螺子止めするとともに、該金属補強部材の位置決めを行う突起部を有する金属補強部材、
を更に具備することを特徴とする請求項６又は７に記載の杵軸すべり軸受。
【発明の詳細な説明】
【技術分野】
【０００１】
本発明は、餅つき装置及び杵軸すべり軸受に関し、特に、筐体に取り付けられ、先端に杵頭を有する杵軸を摺動自在に保持する杵軸すべり軸受を有する餅つき装置及び杵軸すべり軸受に関する。
【背景技術】
【０００２】
従来、杵軸すべり軸受を有する餅つき装置としては、特許文献１に開示された「餅つき機」が知られている。
【０００３】
この特許文献１に開示された「餅つき機」は、先端に杵頭５を有する杵軸４を杵軸すべり軸で摺動自在に保持して餅つきを行うものである。
【０００４】
さて、出願人は、先端に杵頭を有する杵軸を杵軸すべり軸受で摺動自在に保持して餅つきを行う餅つき機を円盤状の台座の周縁に複数個、例えば、１２個配置して、これらの餅つき機を台座の周縁に沿って所定速度で回転して、順次餅つきを行う高速連続餅つき装置を開発した。
【０００５】
ところが、上記高速連続餅つき装置で問題となるのは、例えば、１２個の餅つき装置が同時に駆動されるため、高速連続餅つき装置から発生される騒音レベルがかなり高くなってしまうことであった。
【０００６】
そこで、この高速連続餅つき装置から発生される騒音を解析すると、主に、上記杵軸すべり軸受からの騒音の発生が大きいことが判明した。
【０００７】
すなわち、杵軸すべり軸受は、杵軸が高速、かつ回転しながら通過するため、この杵軸すべり軸受の内径と杵軸の外径との間隙が適切でないと、この部分から不適切な音が発生し、このため、例えば、杵軸すべり軸受が１２個もある上記高速連続餅つき装置においては、その騒音レベルもかなり高いものになった。
【０００８】
しかし、杵軸すべり軸受の内径と杵軸の外径との間隙の最適な調整は難しく、また、この高速連続餅つき装置の稼動過程においても、杵軸すべり軸受の内径、杵軸の外径は摩擦等によって変化してしまうので、上記騒音の発生を有効に抑えることができなかった。
【先行技術文献】
【特許文献】
【０００９】
【特許文献１】特開２０１０−２５３１３３号公報
【発明の概要】
【発明が解決しようとする課題】
【００１０】
そこで、本発明は、杵軸すべり軸受から発生される騒音を可及的に低減することができるようにした餅つき装置及び杵軸すべり軸受を提供することを目的とする。
【課題を解決するための手段】
【００１１】
上記の目的を達成するため、請求項１の発明は、筐体に取り付けられ、先端に杵頭を有する杵軸を摺動自在に保持する杵軸すべり軸受を有する餅つき装置であって、前記杵軸すべり軸受は、軸方向に分割された第１の部材及び第２の部材と、前記第１の部材と前記第２の部材とを調整可能に固定する調整固定機構と、を具備することを特徴とする。
【００１２】
請求項２の発明は、請求項１の発明において、前記調整固定機構は、前記第１の部材及び前記第２の部材の周縁に形成された孔に挿入され、前記第１の部材及び前記第２の部材を螺子止め固定する螺子を有することを特徴とする。
【００１３】
請求項３の発明は、請求項１又は２に記載の発明において、前記杵軸すべり軸受は、円筒形の円筒部と、前記円筒部を前記筐体に取り付けるためのフランジ部と、を有し、前記円筒部を外側から取り囲む２つに分割された金属補強部材であって、両端に該分割された金属補強部材同士を螺子止めするとともに、該金属補強部材の位置決めを行う突起部を有する金属補強部材、を更に具備することを特徴とする。
【００１４】
請求項４の発明は、請求項１乃至３のいずれか１項に記載の発明において、前記餅つき装置は、所定速度で回転する円盤状の台座と、前記台座の周縁に沿って設置された複数の臼装置と、前記杵軸を介して前記杵頭を持ち上げるとともに、自由落下で前記杵頭を前記臼装置の臼内に落下させる杵頭落下制御機構と、を有し、前記臼装置は、前記臼の底面を回転させる回転駆動装置、を有し、前記筐体は、前記台座の上に設置されて、前記台座の回転に同期して回転し、前記杵軸すべり軸受は、前記筐体の底面の前記臼装置の設置位置に対応する箇所に取り付けられることを特徴とする。
【００１５】
請求項５の発明は、請求項４の発明において、前記杵頭落下制御機構は、前記杵軸の上部に固定された羽受部と、駆動手段により回転駆動され、前記羽受部を下方から叩くことにより、前記杵軸を上方に移動させるとともに、前記杵軸に回転を加える羽根部材とを有することを特徴とする。
【００１６】
請求項６の発明は、餅つき装置の筐体に取り付けられ、先端に杵頭を有する杵軸を摺動自在に保持する杵軸すべり軸受であって、軸方向に分割された第１の部材及び第２の部材と、前記第１の部材と前記第２の部材とを調整可能に固定する調整固定機構と、を具備することを特徴とする。
【００１７】
請求項７の発明は、請求項６の発明において、前記調整固定機構は、前記第１の部材及び前記第２の部材の周縁に形成された孔に挿入され、前記第１の部材及び前記第２の部材を螺子止め固定する螺子を有する。
【００１８】
請求項８の発明は、請求項７に記載の発明において、前記杵軸すべり軸受は、円筒形の円筒部と、前記円筒部を前記筐体に取り付けるためのフランジ部と、を有し、前記円筒部を外側から取り囲む２つに分割された金属補強部材であって、両端に該分割された金属補強部材同士を螺子止めするとともに、該金属補強部材の位置決めを行う突起部を有する金属補強部材、を更に具備することを特徴とする。
【発明の効果】
【００１９】
本発明は、筐体に取り付けられ、先端に杵頭を有する杵軸を摺動自在に保持する杵軸すべり軸受を有する餅つき装置であって、前記杵軸すべり軸受は、軸方向に分割された第１の部材及び第２の部材と、前記第１の部材と前記第２の部材とを調整可能に固定する調整固定機構と、を具備して構成されるので、杵軸すべり軸受の内径と杵軸の外径との間隙を容易かつ適切に調整することができ、これにより、杵軸すべり軸受から発生される騒音を可及的に低減することができるという効果を奏する。
【図面の簡単な説明】
【００２０】
【図１】図１は、本発明に係る餅つき装置を適用して構成した高速連続餅つき装置の全体の概要を示す正面図である。
【図２】図２は、図１に示した高速連続餅つき装置餅つき装置の一部拡大図である。
【図３】図３は、図１に示した高速連続餅つき装置餅つき装置で用いられる杵軸すべり軸受を示す断面図である。
【図４】図４は、本発明に係る杵軸すべり軸受の詳細を示す正面図、上面図、側面図である。
【図５】図５は、本発明に係る杵軸すべり軸受の他の構成例の詳細を示す上面図、側面図である。
【発明を実施するための形態】
【００２１】
以下、本発明を実施するための実施例について、願書に添付した図面を参照しながら詳細に説明する。
【００２２】
図１は、本発明に係る餅つき装置を適用して構成した高速連続餅つき装置の概要を示す正面図であり、図２は、図１に示した高速連続餅つき装置の一部拡大図である。
【００２３】
図１及び図２において、本実施例の高速連続餅つき装置１００は、円盤状の台座１０と、円盤状の台座１０の周縁に沿って設置された複数、この実施例では１２台の臼装置２０と、臼装置２０に対応して配設され、先端に杵頭３０を有する１２本の杵軸４０と、臼装置２０の上部に配設された筐体１の底板１ａに取り付けられ、杵軸４０をそれぞれ摺動自在に保持する１２個の杵軸すべり軸受６０と、筐体１の内部に設けられ、杵軸４０を介して杵頭３０を持ち上げるとともに、自由落下で杵頭３０を臼装置２０の臼２１内に落下させる杵頭落下制御機構５０とを具備して構成される。
【００２４】
ここで、円盤状の台座１０は、モータ１１により、ギアボックス１２を介して所定速度で回転駆動される。
【００２５】
臼装置２０は、図２に詳細を示すように、臼２１と、この臼２１の底面２１ａを回転駆動する、モータ２２により、シャフト２３、ギアボックス２４を含む回転駆動機構とを有している。
【００２６】
筐体１は、円盤状の台座１０の回転に同期して回転し、杵頭３０が対応する臼装置２０の臼２１に常に対峙するように制御される。
【００２７】
杵頭落下制御機構５０は、杵軸４０の上部に固定された羽受部４０ａと、モータ５１により、プーリ５２、ベルト５３、プーリ５４を介して回転駆動され、羽受部４０ａを下方から叩くことにより、杵軸４０を上方に移動させるとともに、杵軸４０に回転を加える羽根部材５５とを有する。４０ｂは、杵軸４０に対して下方に力を加える重りである。
【００２８】
上記構成からなる高速連続餅つき装置１００において、１台の臼装置２０と先端に杵頭３０を有する１本の杵軸４０とによって１基の餅つき装置を構成しており、この高速連続餅つき装置１００においては、上記餅つき装置を１２基、円盤状の台座１０の周縁に沿って設置し、この１２基の餅つき装置を順次連続して稼働することにより、高速連餅つきを可能にしている。
【００２９】
そして、この高速連続餅つき装置１００においては、台座１０が一周すると、餅つきが完了するように構成されているので、作業員は、台座の回転の起点となる位置で、餅つきの材料を投入すればよく、１人の作業員により１２基の餅つき装置を用いたの餅つき作業が可能になる。
【００３０】
さて、本発明は、上記高速連続餅つき装置１００における騒音の発生を低減するために、筐体１に取り付けられ、先端に杵頭３０を有する杵軸４０を摺動自在に保持する杵軸すべり軸受６０の構成を改良したものである。
【００３１】
図３は、図１に示した高速連続餅つき装置餅つき装置で用いられる杵軸すべり軸受を示す断面図である。
【００３２】
図３に示すように、杵軸すべり軸受６０は、先端に杵頭３０を有する杵軸４０を摺動自在に保持するもので、円筒形の円筒部６０ａと、円筒部６０ａを筐体１の底板１ａに螺子６０ｃにより螺子止め固定するためのフランジ部６０ｂを有している。
【００３３】
なお、杵頭３０の上部には杵頭保持部材３０ａが螺子３０ｂにより固定されており、また、杵軸４０の先端には、テーパ部４０ｃが形成され、テーパ部４０ｃを杵頭保持部材３０ａに形成された圧入孔３０ｃに圧入固定されている。
【００３４】
図４は、本発明に係る杵軸すべり軸受の詳細を示す図で、図４（Ａ）は、正面図、図４（Ｂ）は、上面図、図４（Ｃ）は、側面図である。
【００３５】
図４において、本発明に係る杵軸すべり軸受６０は、第１の部材６１ａと第２の部材６１ｂの２つの部材に軸方向に分割されて構成されており、この２つの部材である第１の部材６１ａと第２の部材６１ｂは、その周縁に形成された孔６３に挿入された螺子６２からなる調整固定機構により調整可能に固定される。
【００３６】
このような構成によると、螺子６２の締め付け状態により、杵軸すべり軸受６０の内径を変化させることができるので、この構成を利用することにより、杵軸すべり軸受６０の内壁と杵軸４０の外壁とのギャップを容易かつ最適に調整することが可能になる。
【００３７】
そして、この杵軸すべり軸受６０の内壁と杵軸４０の外壁とのギャップの最適な調整により、杵軸すべり軸受から発生される騒音は大幅に低減した。
【００３８】
図５は、本発明に係る杵軸すべり軸受の他の構成例の詳細を示す図で、図５（Ａ）は、上面図、図５（Ｂ）は、側面図である。
【００３９】
図５に示す杵軸すべり軸受７０においては、図４に示した杵軸すべり軸受６０の構成に加えて、杵軸すべり軸受６０の円筒部６０ａを外側から取り囲む２つに分割された金属補強部材７１ａ、７１ｂを有する。
【００４０】
この金属補強部材７１ａ、７１ｂは、両端に該分割された金属補強部材７１ａ、７１ｂ同士を螺子７３により螺子止めするとともに、該金属補強部材７１ａ、７１ｂの円筒部６０ａ上での位置決めを行う突起部７２ａ、７２ｂを有するように構成される。
【００４１】
このような構成によると、図４に示した杵軸すべり軸受６０は、金属補強部材７１ａ、７１ｂにより外側から補強されるので、杵軸すべり軸受６０の耐久性を増大させるとともに、杵軸すべり軸受６０の内壁と杵軸４０の外壁との間のギャップの調整精度を向上させることができる。
【００４２】
なお、上記金属補強部材７１ａ、７１ｂは、筐体１の内側から取り付けように構成したが、筐体1の底板１ａに対する杵軸すべり軸受６０の取り付け位置をずらして、筐体１の外側から取り付けるように構成してもよい。
【００４３】
本発明は上述の実施形態に限定されるものではなく、本発明の技術的思想の範囲内であれば、当業者の通常の創作能力によって多くの変形が可能である。
【符号の説明】
【００４４】
１…筐体
１ａ…底板
１０…台座
１１…モータ
１２…ギアボックス
２０…臼装置
２１…臼
２２…モータ
２３…シャフト
２４…ギアボックス
３０…杵頭
３０ａ…杵頭保持部材
３０ｂ…螺子
３０ｃ…圧入孔
４０…杵軸
４０ａ…羽受部
４０ｂ…重り
４０ｃ…テーパ部
５０…杵頭落下制御機構
５１…モータ
５２…プーリ
５３…ベルト
５４…プーリ
５５…羽根部材
６０…杵軸すべり軸受
６０ａ…円筒部
６０ｂ…フランジ部
６１ａ…第１の部材
６１ｂ…第２の部材
６２…螺子
７０…杵軸すべり軸受
７１ａ…金属補強部材
７１ｂ…金属補強部材
７２ａ…突起部
７２ｂ…突起部
【図１】
2017225714.tif 000003
【図２】
2017225714.tif 000004
【図３】
2017225714.tif 000005
【図４】
2017225714.tif 000006
【図５】
2017225714.tif 000007